(57)【要約】【課題】  印刷媒体に掲載される商品のレイアウトと売上情報との関係をより明確に視覚化する技術を提供する。【解決手段】  商品販売状況表示装置は、商品に関する商品情報を含む印刷媒体の原稿情報と、商品の売上情報とを取得する取得部と、原稿情報に基づいて自動組版処理を行う自動組版部と、自動組版処理により生成された自動組版情報から、印刷媒体に掲載される商品それぞれの位置情報を抽出し、対応する商品の売上情報と関係づける関係付け部と、売上情報に基づいて、印刷媒体に掲載される商品の階調値を決定する階調値決定部と、階調値に基づいて、印刷媒体に掲載される商品を描画する描画部と、を備えることにより、上記課題の解決を図る。【選択図】図１
2018014069.tif 000002
【特許請求の範囲】
【請求項１】
商品に関する商品情報を含む印刷媒体の原稿情報と、該商品の売上情報とを取得する取得部と、
前記原稿情報に基づいて自動組版処理を行う自動組版部と、
前記自動組版処理により生成された自動組版情報から、前記印刷媒体に掲載される前記商品それぞれの位置情報を抽出し、対応する前記商品の売上情報と関係づける関係付け部と、
前記売上情報に基づいて、前記印刷媒体に掲載される前記商品の階調値を決定する階調値決定部と、
前記階調値に基づいて、前記印刷媒体に掲載される前記商品を描画する描画部と、
を備えることを特徴とする商品販売状況表示装置。
【請求項２】
前記描画部は、さらに、
前記階調値に基づいて描画された前記商品に、対応する売上情報を吹き出し形式またはグラフ形式で付与する
ことを特徴とする請求項１に記載の商品販売状況表示装置。
【請求項３】
前記描画部は、さらに、
前記階調値に基づいて描画された前記商品に、対応する売上情報を吹き出し形式で付与し、吹き出し形式で付与した売上情報のサイズを前記階調値に基づいて変更する
ことを特徴とする請求項１に記載の商品販売状況表示装置。
【請求項４】
コンピュータに、
商品に関する商品情報を含む印刷媒体の原稿情報と、該商品の売上情報とを取得し、
前記原稿情報に基づいて自動組版処理を行い、
前記自動組版処理により生成された自動組版情報から、前記印刷媒体に掲載される前記商品それぞれの位置情報を抽出し、対応する前記商品の売上情報と関係づける関係付け、
前記売上情報に基づいて、前記印刷媒体に掲載される前記商品の階調値を決定し、
前記階調値に基づいて、前記印刷媒体に掲載される前記商品を描画する、
処理を実行させる商品販売状況表示プログラム。
【請求項５】
前記コンピュータに、さらに、
前記階調値に基づいて描画された前記商品に、対応する売上情報を吹き出し形式またはグラフ形式で付与する
処理を実行させる請求項４に記載の商品販売状況表示プログラム。
【請求項６】
前記コンピュータに、さらに、
前記階調値に基づいて描画された前記商品に、対応する売上情報を吹き出し形式で付与し、吹き出し形式で付与した売上情報のサイズを前記階調値に基づいて変更する
処理を実行させる請求項４に記載の商品販売状況表示プログラム。
【請求項７】
商品に関する商品情報を含む印刷媒体の原稿情報と、該商品の売上情報とをコンピュータに入力し、
前記コンピュータにより、前記原稿情報に基づいて自動組版処理を行い、
前記コンピュータにより、前記自動組版処理により生成された自動組版情報から、前記印刷媒体に掲載される前記商品それぞれの位置情報を抽出し、対応する前記商品の売上情報と関係づける関係付け、
前記コンピュータにより、前記売上情報に基づいて、前記印刷媒体に掲載される前記商品の階調値を決定し、
前記コンピュータにより、前記階調値に基づいて、前記印刷媒体に掲載される前記商品を描画する、
ことを特徴とする商品販売状況表示方法。
【発明の詳細な説明】
【技術分野】
【０００１】  本明細書は、印刷媒体において商品の販売数または売上を可視化する技術に関する。
【背景技術】
【０００２】  チラシやカタログ等の印刷物に掲載される商品のレイアウト等によって、商品の売上額や販売数が大きく変わる。例えば、販売数を伸ばしたい商品については、その商品の画像を印刷物に大きく掲載したり、目に付き易い場所に配置したり、色表現を変えてみたり等、レイアウトが工夫される。【０００３】  例えば、チラシやカタログなど宣伝広告媒体を用いた宣伝広告による商品の注文販売数量など媒体による効果を、効果報告書としてその媒体のレイアウト紙面上にシート情報若しくはＣＲＴ画面などによるディスプレイ情報として表示する技術がある（例えば、特許文献１）。【０００４】  また、広告印刷物の紙面画像上における各商品群の掲載位置に売上情報が配置された売上掲載紙面画像を作成し表示する技術がある（例えば、特許文献２）。また、過去に作成した媒体のページレイアウトに対して、実績の達成状況に応じて表示方法を変化させる技術がある（例えば、特許文献３）。
【先行技術文献】
【特許文献】
【０００５】
【特許文献１】特開２００４−１７８２４５号公報
【特許文献２】特開２００５−０９２６４２号公報
【特許文献３】特開２００８−２３４５３８号公報
【発明の概要】
【発明が解決しようとする課題】
【０００６】  印刷物のレイアウトを決定するには多大な時間を要し、販売に大きく影響を及ぼすものである。そのため、レイアウトがどのように販売に影響を及ぼしたかを検証し、その検証結果を次の印刷物に反映、工夫するなどＰｌａｎ（計画）→Ｄｏ（実行）→Ｃｈｅｃｋ（評価）→Ａｃｔｉｏｎ（改善）が繰り返し行われる。【０００７】  しかしながら、印刷物のレイアウトの効果を検証するには、例えば特許文献２に記載のように売上数などを印刷物などに記入する方法しかなく、記入したとしても売上額と商品のレイアウトとの因果関係が分かりづらいものである。【０００８】  そこで、本発明では、印刷媒体に掲載される商品のレイアウトと売上情報との関係をより明確に視覚化する技術を提供する。
【課題を解決するための手段】
【０００９】  本発明の一側面に係る商品販売状況表示装置は、商品に関する商品情報を含む印刷媒体の原稿情報と、該商品の売上情報とを取得する取得部と、前記原稿情報に基づいて自動組版処理を行う自動組版部と、前記自動組版処理により生成された自動組版情報から、前記印刷媒体に掲載される前記商品それぞれの位置情報を抽出し、対応する前記商品の売上情報と関係づける関係付け部と、前記売上情報に基づいて、前記印刷媒体に掲載される前記商品の階調値を決定する階調値決定部と、前記階調値に基づいて、前記印刷媒体に掲載される前記商品を描画する描画部と、を備えることを特徴とする。【００１０】  前記描画部は、さらに、前記階調値に基づいて描画された前記商品に、対応する売上情報を吹き出し形式またはグラフ形式で付与する。【００１１】  前記描画部は、さらに、前記階調値に基づいて描画された前記商品に、対応する売上情報を吹き出し形式で付与し、吹き出し形式で付与した売上情報のサイズを前記階調値に基づいて変更することを特徴とする。【００１２】  本発明の他の一側面に係る商品販売状況表示プログラムは、コンピュータに、商品に関する商品情報を含む印刷媒体の原稿情報と、該商品の売上情報とを取得し、前記原稿情報に基づいて自動組版処理を行い、前記自動組版処理により生成された自動組版情報から、前記印刷媒体に掲載される前記商品それぞれの位置情報を抽出し、対応する前記商品の売上情報と関係づける関係付け、前記売上情報に基づいて、前記印刷媒体に掲載される前記商品の階調値を決定し、前記階調値に基づいて、前記印刷媒体に掲載される前記商品を描画する、処理を実行させる。【００１３】  商品販売状況表示プログラムは、前記コンピュータに、さらに、前記階調値に基づいて描画された前記商品に、対応する売上情報を吹き出し形式またはグラフ形式で付与する処理を実行させる。【００１４】  商品販売状況表示プログラムは、前記コンピュータに、さらに、前記階調値に基づいて描画された前記商品に、対応する売上情報を吹き出し形式で付与し、吹き出し形式で付与した売上情報のサイズを前記階調値に基づいて変更する処理を実行させる。【００１５】  本発明の他の一側面に係る商品販売状況表示方法は、商品に関する商品情報を含む印刷媒体の原稿情報と、該商品の売上情報とをコンピュータに入力し、前記コンピュータにより、前記原稿情報に基づいて自動組版処理を行い、前記コンピュータにより、前記自動組版処理により生成された自動組版情報から、前記印刷媒体に掲載される前記商品それぞれの位置情報を抽出し、対応する前記商品の売上情報と関係づける関係付け、前記コンピュータにより、前記売上情報に基づいて、前記印刷媒体に掲載される前記商品の階調値を決定し、前記コンピュータにより、前記階調値に基づいて、前記印刷媒体に掲載される前記商品を描画する、ことを特徴とする。
【発明の効果】
【００１６】  本発明によれば、印刷媒体に掲載される商品のレイアウトと売上情報との関係をより明確に視覚化することができる。
【図面の簡単な説明】
【００１７】
【図１】  本実施形態における商品販売状況表示装置の一例を示す。
【図２】  第１の実施形態における商品販売状況表示システムの一例を示す。
【図３】  第１の実施形態における商品販売状況を印刷データに表示するフローを示す。
【図４】  第１の実施形態における自動組版ＤＢ１９にインポートした商品情報が商品毎にグループ化されてユニークコード化されることを説明するための図である。
【図５】  第１の実施形態における、組版データから各商品の属性情報を抽出するスクリプトの一例を示す。
【図６】  第１の実施形態における組版情報テーブルの一例を示す。
【図７】  第１の実施形態における、組版情報テーブルと売上情報テーブルとの関連付けについて説明する図である。
【図８】  第１の実施形態における、各商品の描画方法の一例について説明するための図である。
【図９】  第１の実施形態における、各商品の描画方法の変形例（その１）について説明するための図である。
【図１０】  第１の実施形態における、各商品の描画方法の変形例（その２）について説明するための図である。
【図１１】  第２の実施形態における商品販売状況表示システムの一例を示す。
【図１２】  第２の実施形態におけるＣＰＵによる処理のフローチャートである。
【発明を実施するための形態】
【００１８】  図１は、本実施形態における商品販売状況表示装置の一例を示す。商品販売状況表示装置１は、取得部２、自動組版部３、関係付け部４、階調値決定部５と、描画部６を含む。商品販売状況表示装置１の一例として、後述するコンピュータ１が挙げられる。
【００１９】  取得部２は、商品に関する商品情報を含む印刷媒体の原稿情報７と、商品の売上情報８とを取得する。取得部２の一例として、後述するＳ１０の処理を行うＣＰＵ１２が挙げられる。
【００２０】  自動組版部３は、原稿情報７に基づいて自動組版処理を行う。自動組版部３の一例として、後述するＳ１１の処理を行うＣＰＵ１２が挙げられる。
【００２１】  関係付け部４は、自動組版処理により生成された自動組版情報から、印刷媒体に掲載される商品それぞれの位置情報を抽出し、対応する商品の売上情報８と関係付ける。関係付け部４の一例として、後述するＳ１３〜Ｓ１６の処理を行うＣＰＵ１２が挙げられる。
【００２２】  階調値決定部５は、売上情報８に基づいて、印刷媒体に掲載される商品の階調値を決定する。階調値決定部５の一例として、後述するＳ１８の処理を行うＣＰＵ１２が挙げられる。
【００２３】  描画部６は、階調値に基づいて、印刷媒体に掲載される商品を描画する。描画部６の一例として、後述するＳ１９の処理を行うＣＰＵ１２が挙げられる。
【００２４】  このように構成することにより、印刷媒体に掲載される商品のレイアウトと売上情報との関係をより明確に視覚化することができる。
【００２５】  描画部６は、さらに、階調値に基づいて描画された商品に、対応する売上情報を吹き出し形式またはグラフ形式で付与する。このように構成することにより、より明確に商品のレイアウトと売上情報との関係をより明確に視覚化することができる。
【００２６】  描画部６は、さらに、階調値に基づいて描画された商品に、対応する売上情報を吹き出し形式で付与し、吹き出し形式で付与した売上情報のサイズを階調値に基づいて変更する。このように構成することにより、より明確に商品のレイアウトと売上情報との関係をより明確に視覚化することができる。
【００２７】  以下では、印刷媒体に掲載される商品のレイアウトと売上情報との関係をより明確に視覚化する技術のバリエーションについて詳述する。
【００２８】  図２は、第１の実施形態における商品販売状況表示システムの一例を示す。商販売状況表示システム１０は、コンピュータ１１、入力装置２２、表示装置２３を含む。
【００２９】  コンピュータ１１は、例えば、中央演算装置（ＣＰＵ）１２、通信インターフェース１３、入力インターフェース１４、出力インターフェース１５、記憶装置１６、バス２０で構成される。以下、インターフェースを「Ｉ／Ｆ」と称する。ＣＰＵ１２、通信Ｉ／Ｆ１３、入力Ｉ／Ｆ１４、出力Ｉ／Ｆ１５、記憶装置１６は、バス２０を介して接続されている。
【００３０】  入力Ｉ／Ｆ１４は、入力装置２１から入力された情報を取得するインターフェースである。出力Ｉ／Ｆ１５は、表示装置２２に表示させる情報を表示装置２３に出力するインターフェースである。
【００３１】  記憶装置１６としては、ハードディスク、フラッシュメモリ、磁気ディスクなど様々な形式の記憶装置を使用することができる。記憶装置１６には、オペレーティングシステム（不図示）、自動組版ソフトウェア１７ａ及び描画ソフトウェア１７ｂ等のプログラムや、自動組版データベース１８、商品販売状況表示ＤＢ１９等のデータ格納部が格納されている。以下、データベースをＤＢと称する。
【００３２】  自動組版ソフトウェア１７ａは、データベース等に記憶されたテキスト情報、画像、イラスト等の素材を、一定のルールに従ったレイアウトに基づいて自動的に配置し、コンピュータ処理により紙面を構成するソフトウェアである。
【００３３】  描画ソフトウェア１７ｂは、図形やイラスト等を描画したり、テキストを入力するためのソフトウェアである。自動組版ＤＢ１８は、商品の宣伝広告用のチラシ等の印刷物に掲載される商品情報の原稿（商品原稿）に含まれる各商品に関する情報がインポートされるデータベースである。ここで、商品原稿には、商品のユニークコード（商品ＪＡＮコード、商品コード、型番など）が含まれている。商品販売状況表示ＤＢ１９は、描画ソフトウェア１７ｂで作成したドキュメント上に配置した商品の画像及びその位置を格納するデータベースである。
【００３４】  ＣＰＵ１２は、記憶装置１６等に格納したプログラムを読み出し、当該プログラムを実行する。
【００３５】  入力装置２１は、キーボード、マウス、スキャナ等である。また、表示装置２２は、ディスプレイ等である。通信Ｉ／Ｆ１３は、インターネット、ＬＡＮ、ＷＡＮ、専用線、有線、無線等の通信網に接続するためのインターフェースである。
【００３６】  図３は、第１の実施形態における商品販売状況を印刷データに表示するフローを示す。ここで、組版とは、文字や図版などの要素を配置し、紙面を構成する印刷の一工程である。
【００３７】  なお、第１の実施形態では、描画ソフトウェアの一例として、Ａｄｏｂｅ（登録商標）社のイラストレータ（登録商標）を用いる。
【００３８】  作業者は、入力装置２２を介して、商品原稿情報（商品情報）をコンピュータ１１に入力して、自動組版ＤＢ１９にインポートすると共に、自動組版ソフトウェア１７ａにより自動組版を行い組版データを生成する（Ｓ１）。自動組版とは、データベース等に記憶されたテキスト情報、画像、イラスト等の素材を、一定のルールに従ったレイアウトに基づいて自動的に配置し、コンピュータ処理により紙面を構成することをいう。第１の実施形態では、自動組版されたデータはイラストレータで作業できるイラストレータドキュメント（組版データ）として生成されるものとする。
【００３９】  次に、作業者は、組版時に、自動組版ＤＢ１９にインポートした商品情報を、商品毎にグループ化し、「名前」をユニークコード化する（Ｓ２）。ここで、図４を用いてＳ２の工程について説明する。
【００４０】  図４は、第１の実施形態における自動組版ＤＢ１９にインポートした商品情報が商品毎にグループ化されてユニークコード化されることを説明するための図である。
【００４１】  自動組版ＤＢ１９において、作業者が検索画面３１を用いて名前「０００００１」を検索すると、検索結果画面３２に示すように、名前「０００００１」に対応するユニークコードが付された商品情報が表示される。
【００４２】  なお、「名前」を商品原稿のユニークコードにすることができるのであれば、市販の組版ソフトやオリジナルの組版システムを利用しても良いし、マニュアルで入力しても良い。
【００４３】  組版完了（レイアウト確定）後、作業者は、コンピュータ１１上でイラストレータを用いて、Ｓ１で作成された組版データを開く（Ｓ３）。
【００４４】  作業者は、コンピュータ１１を用いて、組版データから、紙面に配置される商品グループの名前と位置を取得し、商品販売状況表示ＤＢ１９の組版情報テーブル４１に格納する（Ｓ４）。Ｓ４の処理について、図５を用いて説明する。
【００４５】  図５は、第１の実施形態における、組版データから各商品の属性情報を抽出するスクリプトの一例を示す。図５では、一例としてＡｐｐｌｅＳｃｒｉｐｔを利用する。ＡｐｐｌｅＳｃｒｉｐｔを用いて図５のように記述すると、組版データにおいて紙面上に配置される商品グループの名前「ｎａｍｅ：“０００００１”」と位置「ｐｏｓｉｔｉｏｎ（７９．０，−８１．０），ｗｉｄｔｈ：１００．０，ｈｅｉｇｈｔ：１００．０」を取得する。作業者は、コンピュータ１１を用いて、図６に示すように、取得した商品グループの名前「ｎａｍｅ：“０００００１”」と位置「ｐｏｓｉｔｉｏｎ（７９．０，−８１．０），ｗｉｄｔｈ：１００．０，ｈｅｉｇｈｔ：１００．０」を商品販売状況表示ＤＢ１９の組版情報テーブル４１に格納する。
【００４６】  次に、作業者は、商品の売上情報を例えば通信Ｉ／Ｆ１３を介してコンピュータ１１に取り込み、取り込んだ商品の売上情報を商品販売状況表示ＤＢ１９の売上情報テーブル５１にインポートする（Ｓ５）。
【００４７】  作業者は、図７に示すように、組版情報テーブル４１と売上情報テーブル５１との間を、ユニークコードで関連付け、商品の売上情報毎に組版された位置情報を対応付ける（Ｓ６）。
【００４８】  作業者は、コンピュータ１１を用いて、図８（Ａ）に示すように、各商品の位置情報から、商品の画像（ボックス）の中心を算出する（Ｓ７）。
【００４９】  作業者は、コンピュータ１１を用いて、商品の売上値に基づいて商品の描画色（階調値）を決定する。ここでは、売上値は、色の濃淡（ヒートマップ）を用いて階調値で表すこととし、例えば、売り上げの最大値を「１００」とし、売り上げの最小値を「０」とし、描画色が決定される。
【００５０】  作業者は、図８（Ｂ）に示すように、コンピュータ１１を用いて、算出した中心からボックスを自動で描画し、売上値に基づいて色付けを行う（Ｓ９）。
【００５１】  なお、図８では売上値の大小を階調値で表す例について説明したがこれに限定されない。例えば、図９に示すように階調値に加えて、売上値を吹き出しに示してもよい。この場合、Ｓ７において、作業者は、コンピュータ１１を用いて、図９（Ａ）に示すように、各商品の位置情報から、商品の画像（ボックス）の中心を算出する。Ｓ９において、作業者は、図９（Ｂ）に示すように、コンピュータ１１を用いて、算出した中心からボックスを自動で描画し、売上値に基づいて色付け及び吹き出しの配置を行う。このとき、売上値は、ヒートマップによる色付けだけでなく、吹き出しにて売上額を表示させる。
【００５２】  または、図１０（Ａ）に示すように、ヒートマップによる色付けだけでなく、売上額をグラフ表示させてもよいし、図１０（Ｂ）に示すように売上額が示された吹き出しの大きさを、その売上額に応じて変更してもよい。
【００５３】  描画し終わった組版データは、画像に変換したり、ＰＤＦ形式にて保存するなどして、ＤＴＰ（Ｄｅｓｋ  Ｔｏｐ  Ｐｕｂｌｉｓｈｉｎｇ）ソフトウェアをインストールしていないコンピュータにおいてでも閲覧可能な形式で保存する。
【００５４】  なお、第１の実施形態では、Ａｄｏｂｅ（登録商標）社のイラストレータ（登録商標）を用いたが、これに限定されず、例えばＡｄｏｂｅ（登録商標）社のソフトウェアＩｎＤｅｓｉｇｎやＦｉｌｅＭａｋｅｒ（登録商標）社のソフトウェアＦｉｌｅＭａｋｅｒ  Ｐｒｏ等を用いてもよい。
【００５５】  次に、第１の実施形態における一連の処理を自動処理化した実施形態について説明する。
【００５６】  図１１は、第２の実施形態における商品販売状況表示システムの一例を示す。図２と比較して、図１１では、記憶装置１６に、自動組版ソフトウェア１７ａと描画ソフトウェア１７ｂとの代わりに、自動組版表示制御プログラム６３が格納されている。自動組版表示制御プログラム６３は、第１の実施形態で用いた自動組版ソフトウェア１７ａ及び描画ソフトウェア１７ｂの機能を自動で実行する機能を有する。
【００５７】  なお、第２の実施形態において、第１の実施形態と同じ機能または構成については、同一の符号を付し、その説明を省略する。
【００５８】  ＣＰＵ１２は、記憶装置１６から自動組版表示制御プログラム６３を読み出して実行することにより、自動組版部６１及び表示制御部６２として機能する。自動組版部６１及び表示制御部６２の機能については、図１２で説明する。
【００５９】  自動組版表示制御プログラム６３は、プログラム提供者側から通信ネットワーク、および通信Ｉ／Ｆ１３を介して、例えば記憶装置１６に格納されてもよい。また、自動組版表示制御プログラム６３は、市販され、流通している可搬型記憶媒体に格納されていてもよい。この場合、この可搬型記憶媒体は読取装置（不図示）にセットされて、記憶装置１６にそのプログラムがインストールされ、インストールされたプログラムがＣＰＵ１２によって読み出されて、実行されてもよい。可搬型記憶媒体としてはＣＤ−ＲＯＭ、フレキシブルディスク、光ディスク、光磁気ディスク、ＩＣカード、ＵＳＢメモリ装置など様々な形式の記憶媒体を使用することができる。このような記憶媒体に格納されたプログラムが読取装置によって読み取られる。
【００６０】  図１２は、第２の実施形態におけるＣＰＵによる処理のフローチャートである。自動組版部６１は、入力装置２１または通信Ｉ／Ｆ１３を介してコンピュータ１１に入力された商品原稿情報と、商品の売上情報とを取得する（Ｓ１０）。
【００６１】  自動組版部６１は、取得した商品原稿情報を自動組版ＤＢ１９にインポートすると共に、自動組版を行い、組版データを生成する（Ｓ１１）。
【００６２】  次に、自動組版部６１は、組版時に、自動組版ＤＢ１９にインポートした商品情報を、商品毎にグループ化し、「名前」をユニークコード化する（Ｓ１２）。
【００６３】  組版完了（レイアウト確定）後、表示制御部６２は、組版データを開く（Ｓ１３）。
【００６４】  表示制御部６２は、開いた組版データから、例えば、その組版データ上に配置されている商品グループの名前「ｎａｍｅ：“０００００１”」と位置「ｐｏｓｉｔｉｏｎ（７９．０，−８１．０），ｗｉｄｔｈ：１００．０，ｈｅｉｇｈｔ：１００．０」を取得する。表示制御部６２は、取得した商品グループの名前「ｎａｍｅ：“０００００１”」と位置「ｐｏｓｉｔｉｏｎ（７９．０，−８１．０），ｗｉｄｔｈ：１００．０，ｈｅｉｇｈｔ：１００．０」を商品販売状況表示ＤＢ１９の組版情報テーブル４１に格納する（Ｓ１４）。
【００６５】  次に、表示制御部６２は、Ｓ１０で取得した売上情報を商品販売状況表示ＤＢ１９の売上情報テーブル５１にインポートする（Ｓ１５）。
【００６６】  表示制御部６２は、組版情報テーブル４１と売上情報テーブル５１との間を、ユニークコードで関連付け、商品の売上情報毎に組版された位置情報を対応づける（Ｓ１６）。
【００６７】  表示制御部６２は、図８（Ａ）に示すように、各商品の位置情報から、商品の画像（ボックス）の中心を算出する（Ｓ１７）。
【００６８】  表示制御部６２は、商品の売上値に基づいて、商品の描画色（階調値）を決定する（Ｓ１８）。このとき、表示制御部６２は、色の濃淡（ヒートマップ）を用いて、売上値を階調値で表す。例えば、売り上げの最大値を「１００」とし、売り上げの最小値を「０」とすると、表示制御部６２は、売上値から描画色（階調値）を決定する。
【００６９】  表示制御部６２は、図８（Ｂ）に示すように、算出した中心からボックスを自動で描画し、売上値に基づいて色付けを行う（Ｓ１９）。
【００７０】  なお、図８では売上値の大小を階調値で表す例について説明したがこれに限定されない。例えば、図９に示すように階調値に加えて、売上値を吹き出しに示してもよい。この場合、Ｓ１７において、表示制御部６２は、図９（Ａ）に示すように、各商品の位置情報から、商品の画像（ボックス）の中心を算出する。それから、Ｓ１９において、表示制御部６２は、図９（Ｂ）に示すように、算出した中心からボックスを自動で描画し、売上値に基づいて色付け及び吹き出しの配置を行う。このとき、売上値は、ヒートマップによる色付けだけでなく、吹き出しにて売上額を表示させる。
【００７１】  または、図１０（Ａ）に示すように、ヒートマップによる色付けだけでなく、売上額をグラフ表示させてもよいし、図１０（Ｂ）に示すように売上額が示された吹き出しの大きさを、その売上額に応じて変更してもよい。
【００７２】  第１及び第２の実施形態によれば、売上高（販売額）、売上数（販売数）をヒートマップ方式で表現することにより、売上情報の可視化を図ることができる。例えば、売上値が低い商品は青色で表し、売上値が高い商品は赤色で表すことができる。また、表示方式の切り替えにより、さらに、吹き出しによる売上数表示、グラフ表示を行うことができる。また、売上値の色表現に加え、グラフ、数値表示を組み合わせて保存することで、次回の印刷物のレイアウト、商品掲載の判定を行い、印刷物による商品の広告効果を高めることができる。
【００７３】  なお、本発明は、以上に述べた実施の形態に限定されるものではなく、本発明の要旨を逸脱しない範囲内で種々の構成または実施形態を取ることができる。
【符号の説明】
【００７４】１      商品販売状況表示装置
２      取得部
３      自動組版部
４      関係付け部
５      階調値決定部
６      描画部
７      原稿情報
８      売上情報
１０    商販売状況表示システム
１１    コンピュータ
１２    ＣＰＵ
１３    通信Ｉ／Ｆ
１４    入力Ｉ／Ｆ
１５    出力Ｉ／Ｆ
１６    記憶装置
１７    描画ソフトウェア
１８    自動組版ＤＢ
１９    商品販売状況表示ＤＢ
２０    バス
２１    入力装置
２２    表示装置
４１    組版情報テーブル
５１    売上情報テーブル
６１    自動組版部
６２    表示制御部
６３    自動組版表示制御プログラム
【図１】
2018014069.tif 000003
【図２】
2018014069.tif 000004
【図３】
2018014069.tif 000005
【図４】
2018014069.tif 000006
【図５】
2018014069.tif 000007
【図６】
2018014069.tif 000008
【図７】
2018014069.tif 000009
【図８】
2018014069.tif 000010
【図９】
2018014069.tif 000011
【図１０】
2018014069.tif 000012
【図１１】
2018014069.tif 000013
【図１２】
2018014069.tif 000014